(57)【要約】【課題】ＦＰＣ／ＦＦＣのグランド層を損傷させることなく且つ接触安定性の確保されたコネクタを提供すること。【解決手段】コネクタ１は、前端２に挿入口４を有しており、アクチュエータ３０を開位置から閉位置に回動させることにより、挿入口４から挿入されたＦＰＣ／ＦＦＣ８０と接続する。上述した回動によってコンタクト２０の第１接点部２１を変位させてＦＰＣ／ＦＦＣ８０の信号層８２に接触させる。一方、グランドコンタクト５０の第２接点部５２は、ＦＰＣ／ＦＦＣ８０のグランド層８４に接触する部位であるが、アクチュエータ３０の回動によって変位させられることがない。【選択図】図５
2011198571.tif 000002
【特許請求の範囲】
【請求項１】
前端に挿入口を備えた挿入部を有し前記挿入口から後方に向かって挿入された板状又はシート状の第１接続対象物と接続するコネクタであって、
ハウジングと、
該ハウジングに保持されたコンタクトであって、第１接点部を設けられた下顎部と、上顎部と、前記下顎部と前記上顎部とを連結する連結部とを有するコンタクトと、
閉位置と開位置との間で回動可能となるように前記ハウジングに支持されたアクチュエータであって、前記開位置から前記閉位置に向けて前記アクチュエータを回動させる回動操作に応じて前記上顎部を押圧することにより前記第１接続対象物と前記コンタクトとを接続させるリフトアップ部を有するアクチュエータと、
第２接点部を有するグランドコンタクトであって、前記第２接点部が前記上顎部の下側に位置し且つ前記アクチュエータの前記回動操作によっては前記第２接点部が変位しないように前記ハウジングに取り付けられたグランドコンタクトと
を備え、前記挿入部に挿入された前記第１接続対象物を前記アクチュエータの前記回動操作によって前記第１接点部と前記第２接点部とを接続し、かつ前記挿入部の下部受面と前記第２接点部とで挟持するコネクタ。
【請求項２】
請求項１記載のコネクタであって、
前記第２接点部は、前記リフトアップ部近傍に配置される
コネクタ。
【請求項３】
請求項１又は請求項２記載のコネクタであって、
前記コンタクトの前記第１接点部と前記グランドコンタクトの第２接点部とは、前後方向において略同一の位置に配置されている
コネクタ。
【請求項４】
請求項１乃至請求項３のいずれかに記載のコネクタであって、
当該コネクタは、第２接続対象物に取り付けられて用いられるものであり、
前記ハウジングを少なくとも部分的に補強するように前記ハウジングに取り付けられた金属補強部材を更に備えており、
前記グランドコンタクトは該金属補強部材の一部として形成されている
コネクタ。
【請求項５】
請求項４記載のコネクタであって、
前記金属補強部材は、前記後方と直交する面内において前記挿入口を補強している
コネクタ。
【請求項６】
請求項５記載のコネクタであって、
前記グランドコンタクトは、前記コネクタの前記前端から後方及び下方に向かって延びる接点支持部を有しており、
該接点支持部は前記第２接点部を支持している
コネクタ。
【請求項７】
請求項４乃至請求項６のいずれかに記載のコネクタであって、
前記金属補強部材には、前記第２接続対象物に対して当該コネクタを接続固定するためのホールドダウン部が設けられている
コネクタ。
【請求項８】
請求項４乃至請求項７のいずれかに記載のコネクタであって、
前記第２接続対象物はグランド部を備えており、
前記金属補強部材には、前記第２接続対象物の前記グランド部に接続されるグランド端子が設けられている
コネクタ。
【請求項９】
請求項１乃至請求項８のいずれかに記載のコネクタであって、
前記リフトアップ部は、前記アクチュエータを前記開位置から前記閉位置に向けて回動操作した際、前記上顎部をリフトアップすることにより前記第１接点部を上方へ変位させる
コネクタ。
【請求項１０】
請求項１乃至請求項９のいずれかに記載のコネクタであって、
前記第１接続対象物の未挿入時であって前記アクチュエータが前記開位置にある場合における前記下部受面と前記第２接点部との上下方向における距離は、前記第１接続対象物の該上下方向における厚みよりも狭い
コネクタ。
【請求項１１】
請求項１乃至請求項１０のいずれかに記載のコネクタであって、
前記アクチュエータには収容部が形成されており、
前記リフトアップ部は前記収容部内に位置しており、
前記グランドコンタクトは、部分的に前記収容部に収容されており、
前記挿入部に挿入された前記第１接続対象物に対して前記第２接点部が前記収容部内にて接触するように、前記グランドコンタクトは前記ハウジングに対して取り付けられている
コネクタ。
【発明の詳細な説明】
【技術分野】
【０００１】
本発明は、ＦＰＣ（Flexible Printed Circuit）やＦＦＣ（Flexible Flat
Cable）のような板状又はシート状の接続対象物と接続するコネクタに関する。
【背景技術】
【０００２】
この種のコネクタとしては例えば特許文献１乃至特許文献３に開示されたものがある。
【０００３】
このうち、特許文献１のコネクタは、アクチュエータから離すようにして設けられた金属補強部材を備えており、その金属補強部材の一部にグランドコンタクトが設けられている。そのため、グランドコンタクトがアクチュエータの操作によって直接的に変形・変位することはない。また、特許文献１のコネクタにおいては、信号コンタクトの接点部とグランドコンタクトの接点部とが挿入されたＦＰＣ／ＦＦＣの同一面上に当接させられるように構成されている。
【０００４】
特許文献２のコネクタは、回動操作される稼働部材の一面にグランド部を設けてなる構造を有している。グランド部は、稼働部材の回動に伴ってＦＰＣ／ＦＦＣのグランド層上に押し付けられつつ移動させられる。
【０００５】
特許文献３のコネクタは、挿入口の一部を直接的に規定する金属補強部材を備えており、金属補強部材の一部に略Ｌ字形状を有するグランド部が形成されている。ＦＰＣ／ＦＦＣを挿入口に挿入する際、グランド部はＦＰＣ／ＦＦＣのグランド層上を相対的にスライドするようにして接触させられる。なお、この金属補強部材のグランド部は、アクチュエータから離すようにして設けられている。
【先行技術文献】
【特許文献】
【０００６】
【特許文献１】特許第４０９８２９０号公報
【特許文献２】特許第２９１３１５６号公報
【特許文献３】特開２００８-２３５２７２号公報
【発明の概要】
【発明が解決しようとする課題】
【０００７】
特許文献１のコネクタには、上述したような構造に起因して、グランドコンタクトからの反力によりアクチュエータが開いてしまい接触が不安定になるという問題がある。
【０００８】
特許文献２のコネクタには、稼働部材の回動操作によってグランド部がＦＰＣ／ＦＦＣのグランド層を削ってしまう恐れがあるという問題がある。
【０００９】
特許文献３のコネクタは、挿入口へグランド部が設けられていることからＦＰＣ／ＦＦＣの挿入口への挿入時にグランド部がＦＰＣ／ＦＦＣのグランド層と長くスライド接触することとなり、そのためにグランド層が削られてしまう恐れがある。
【００１０】
そこで、本発明は、ＦＰＣ／ＦＦＣのグランド層を損傷させることなく且つ接触安定性の確保されたコネクタを提供することを目的とする。
【課題を解決するための手段】
【００１１】
本発明によれば、第１のコネクタとして、
前端に挿入口を備えた挿入部を有し前記挿入口から後方に向かって挿入された板状又はシート状の第１接続対象物と接続するコネクタであって、
ハウジングと、
該ハウジングに保持されたコンタクトであって、第１接点部を設けられた下顎部と、上顎部と、前記下顎部と前記上顎部とを連結する連結部とを有するコンタクトと、
閉位置と開位置との間で回動可能となるように前記ハウジングに支持されたアクチュエータであって、前記開位置から前記閉位置に向けて前記アクチュエータを回動させる回動操作に応じて前記上顎部を押圧することにより前記第１接続対象物と前記コンタクトとを接続させるリフトアップ部を有するアクチュエータと、
第２接点部を有するグランドコンタクトであって、前記第２接点部が前記上顎部の下側に位置し且つ前記アクチュエータの前記回動操作によっては前記第２接点部が変位しないように前記ハウジングに取り付けられたグランドコンタクトと
を備え、前記挿入部に挿入された前記第１接続対象物を前記アクチュエータの前記回動操作によって前記第１接点部と前記第２接点部とを接続し、かつ前記挿入部の下部受面と前記第２接点部とで挟持するコネクタが得られる。
【００１２】
また、本発明によれば、第２のコネクタとして、第１のコネクタであって、
前記第２接点部は、前記リフトアップ部近傍に配置される
コネクタが得られる。
【００１３】
また、本発明によれば、第３のコネクタとして、第１又は第２のコネクタであって、
前記コンタクトの前記第１接点部と前記グランドコンタクトの第２接点部とは、前後方向において略同一の位置に配置されている
コネクタが得られる。
【００１４】
また、本発明によれば、第４のコネクタとして、第１乃至第３のいずれかのコネクタであって、
当該コネクタは、第２接続対象物に取り付けられて用いられるものであり、
前記ハウジングを少なくとも部分的に補強するように前記ハウジングに取り付けられた金属補強部材を更に備えており、
前記グランドコンタクトは該金属補強部材の一部として形成されている
コネクタが得られる。
【００１５】
また、本発明によれば、第５のコネクタとして、第４のコネクタであって、
前記金属補強部材は、前記後方と直交する面内において前記挿入口を補強している
コネクタが得られる。
【００１６】
また、本発明によれば、第６のコネクタとして、第５のコネクタであって、
前記グランドコンタクトは、前記コネクタの前記前端から後方及び下方に向かって延びる接点支持部を有しており、
該接点支持部は前記第２接点部を支持している
コネクタが得られる。
【００１７】
また、本発明によれば、第７のコネクタとして、第４乃至第６のいずれかのコネクタであって、
前記金属補強部材には、前記第２接続対象物に対して当該コネクタを接続固定するためのホールドダウン部が設けられている
コネクタが得られる。
【００１８】
また、本発明によれば、第８のコネクタとして、第４乃至第７のいずれかのコネクタであって、
前記第２接続対象物はグランド部を備えており、
前記金属補強部材には、前記第２接続対象物の前記グランド部に接続されるグランド端子が設けられている
コネクタが得られる。
【００１９】
また、本発明によれば、第９のコネクタとして、第１乃至第８のいずれかのコネクタであって、
前記リフトアップ部は、前記アクチュエータを前記開位置から前記閉位置に向けて回動操作した際、前記上顎部をリフトアップすることにより前記第１接点部を上方へ変位させる
コネクタが得られる。
【００２０】
また、本発明によれば、第１０のコネクタとして、第１乃至第９のいずれかのコネクタであって、
前記第１接続対象物の未挿入時であって前記アクチュエータが前記開位置にある場合における前記下部受面と前記第２接点部との上下方向における距離は、前記第１接続対象物の該上下方向における厚みよりも狭い
コネクタが得られる。
【００２１】
また、本発明によれば、第１１のコネクタとして、第１乃至第１０のいずれかのコネクタであって、
前記アクチュエータには収容部が形成されており、
前記リフトアップ部は前記収容部内に位置しており、
前記グランドコンタクトは、部分的に前記収容部に収容されており、
前記挿入部に挿入された前記第１接続対象物に対して前記第２接点部が前記収容部内にて接触するように、前記グランドコンタクトは前記ハウジングに対して取り付けられている
コネクタが得られる。
【発明の効果】
【００２２】
本発明によれば、グランドコンタクトの接点部（第２接点部）をコンタクトの上顎部の下側に位置させると共に第２接点部の変位をアクチュエータの回動動作に応じたコンタクトの第１接点部の変位とは独立させたことから、グランドコンタクトからの反力によりアクチュエータが開いてしまうことがなく、ＦＰＣ／ＦＦＣのような接続対象物のグランド層を第２接点部で損傷させることをなくすことができる。
【図面の簡単な説明】
【００２３】
【図１】本発明の実施の形態によるコネクタを示す正面斜視図である。ここで、コネクタに含まれているアクチュエータは開位置にある。
【図２】図１のコネクタを示す背面斜視図である。ここで、アクチュエータは開位置にある。
【図３】図１のコネクタを示す断面図である。ここで、アクチュエータは開位置にある。
【図４】図１のコネクタを示す正面斜視図である。ここで、アクチュエータは閉位置にある。
【図５】図１のコネクタを示す断面図である。ここで、アクチュエータは閉位置にある。
【図６】図１のアクチュエータを示す斜視図である。
【図７】図６のアクチュエータをVII--VII線に沿って示す断面図である。
【図８】図６のアクチュエータのVIII領域を拡大して示す図である。
【図９】図１のコネクタに含まれている金属補強部材を示す正面斜視図である。
【図１０】図９の金属補強部材を示す背面斜視図である。
【発明を実施するための形態】
【００２４】
図１乃至図５を参照すると、本発明の実施の形態によるコネクタ１は、回路基板（第２接続対象物：図示せず）に取り付けられ、ＦＰＣ／ＦＦＣ（第１接続対象物）８０と接続するものである。ＦＰＣ／ＦＦＣ８０は、下面前端近傍に信号層（複数の信号端子）８２を有しており、上面前端近傍にグランド層８４を有している。
【００２５】
コネクタ１は、前端２と後端３とを有しており、更にＦＰＣ／ＦＦＣ８０を挿入するための挿入口４を前端２に有している。コネクタ１は、この挿入口４から後方に向かって挿入されたＦＰＣ／ＦＦＣ８０と接続する。かかるコネクタ１の構造及びＦＰＣ／ＦＦＣ８０との接続の仕方について、以下、詳述する。
【００２６】
本実施の形態によるコネクタ１は、絶縁性材料からなるハウジング１０と、金属からなる複数のコンタクト２０と、絶縁性材料からなるアクチュエータ３０と、金属からなる金属補強部材４０と、グランドコンタクト５０とを備えている。
【００２７】
ハウジング１０は、金属補強部材４０により保護される前端上部１１及び上内面１２と、挿入口４を備えた挿入部５の下面を規定する平面である下部受面１３と、挿入部５の上面を規定する平面である上部受面１６と、コンタクト２０を保持する孔である保持部１４と、保持部１４の上側を構成する後端上部１５とを備えている。本実施の形態による挿入口４は、前端上部１１及び上内面１２を保護する金属補強部材４０の一部と下部受面１３とで規定されており、Ｘ方向（前後方向）において保持部１４と連通している。
【００２８】
各コンタクト２０は、第１接点部２１を設けられた下顎部２２と、上顎部２３と、下顎部２２と上顎部２３とを連結する連結部２４と、連結部２４を弾性支持すると共に保持部１４に保持された被保持部２５と、被保持部２５から後方下側（−Ｚ方向且つＸ方向）に延びる信号端子２６とを有している。連結部２４は、下顎部２２と上顎部２３とを略音叉状に連結している。信号端子２６は、回路基板（図示せず）上の対応する信号端子（図示せず）に接続される。
【００２９】
本実施の形態においては、被保持部２５に連結部２４が弾性支持されていることから、上顎部２３及び下顎部２２は連結部２４の被保持部２５に保持されている部分を中心として回動に類する動きを行うこととなる。そのため、上顎部２３を上方に持ち上げようとすると、下顎部２２も持ち上げられることとなり、第１接点部２１は、上方に移動する。
【００３０】
アクチュエータ３０は、開位置（図１乃至図３参照）と閉位置（図４及び図５参照）との間で回動可能となるようにハウジング１０に保持されている。
【００３１】
図６乃至図８をも参照すると、詳しくは、アクチュエータ３０は、左右両端部（Ｙ方向両端部）の前端において外側に突出した軸部３２と、コンタクト２０に対応して形成された収容部３４と、収容部３４内に設けられたリフトアップ部３６と、アクチュエータ３０の後部を構成する包囲部３８とを備えている。
【００３２】
本実施の形態による軸部３２は、回動可能且つ上下方向（Ｚ方向）に移動可能となるようにハウジング１０に保持されている。
【００３３】
収容部３４は、ＸＺ平面と平行なスリット状に形成されている。特に、収容部３４のうちグランドコンタクト５０に対応する収容部３４ｇは、アクチュエータ３０が閉位置にあるときにコンタクト２０の上顎部２３の一部を主として収容する上側収容部３４ａと、アクチュエータ３０が閉位置にあるときにグランドコンタクト５０を主として収容する下側収容部３４ｂとを有している。なお、グランドコンタクト５０に対応しない他の収容部３４も上側収容部３４ａと下側収容部３４ｃとを有している。グランドコンタクト５０に対応する上側収容部３４ａは他の上側収容部３４ａのサイズと略同一であるが、グランドコンタクト５０の変形・動きを阻害しないように下側収容部３４ｂは他の下側収容部３４ｃのサイズよりもＹ方向において若干幅広に構成されている。このように、グランドコンタクト５０に対応する収容部３４ｇのみを他の収容部３４と異なる構成とすることにより、コンタクト２０のピッチを最小に維持しつつ、グランドコンタクト５０のスムーズな変形・移動を可能とすることができる。
【００３４】
リフトアップ部３６は、偏芯形状を有しており、各収容部３４内において収容部３４を構成する内壁同士をＹ方向において連結している。即ち、リフトアップ部３６は、収容部３４内に位置している。このリフトアップ部３６は、開位置（図１乃至図３参照）から閉位置（図４及び図５参照）に向けてアクチュエータ３０を回動させる回動操作に応じて、図５に示されるように、コンタクト２０の上顎部２３をリフトアップする。リフトアップ部３６が上顎部２３をリフトアップすると、前述したように、下顎部２２に設けられた第１接点部２１を上方へ変位させる。第１接点部２１が上方へ変位すると、ＦＰＣ／ＦＦＣ８０を第１接点部２１と挿入部５の上部受面１６とで挟持し、且つ、ＦＰＣ／ＦＦＣ８０と接続する。
【００３５】
包囲部３８は、アクチュエータ３０が閉位置にあるとき、ハウジング１０の後端上部１５を包囲する。その包囲により、コネクタ２０の被保持部２５も保護・包囲される。
【００３６】
金属補強部材４０は、ハウジング１０を部分的に保護・補強するようにハウジング１０に取り付けられている。特に図１及び図４に示されているように、金属補強部材４０は、ＹＺ平面と平行な面内において挿入口４を囲うように位置している。具体的には、本実施の形態による金属補強部材４０の一部は、挿入口４を規定しており、他の部分は、挿入口４から離れた位置において、挿入口４を囲っている。
【００３７】
図９及び図１０をも参照すると、詳しくは、金属補強部材４０は、Ｙ方向に延びる上側補強部材４１と、上側補強部材４１の前端から下側に向かって延びる前端補強部４３と、Ｚ方向において上側補強部材４１と対向する下側補強部材４４と、上側補強部材４１と下側補強部材４４とを連結する連結部４５と、上側補強部材４１のＹ方向両端から延びる側部補強部４６とを備えている。上側補強部材４１は、細長い板状の形状を有しており、ＹＸ平面と略平行に延びている。上側補強部材４１の後縁には、後方に向けて突出した被固定部４２ａが設けられている。この被固定部４２ａはハウジング１０に固定される部位である。前側補強部材４３もまた細長い板状の形状を有しており、２つの連結部４５間においてＹＺ平面と略平行に延びている。下側補強部材４４は、細長い板状且つコの字状の形状を有しており、ＸＹ平面と略平行に延びている。下側補強部材４４の後縁には、後方に向けて突出した被固定部４２ｂが設けられている。この被固定部４２ｂはハウジング１０に固定される部位である。また、下側補強部材４４の前縁（コの字の内側）からは、前方（−Ｘ方向）に向けてグランド端子４９が突出している。このグランド端子４９は、コネクタ１が搭載される回路基板（図示せず）上に設けられているグランド部（図示せず）に接続される部位である。連結部４５は、ＹＺ平面と略平行な面を有している。側部補強部４６には、ハウジング１０に圧入される圧入部４７と、コネクタ１を回路基板（図示せず）に対して接続固定するためのホールドダウン部４８とが設けられている。本実施の形態において、ホールドダウン部４８の回路基板（図示せず）への接続にはハンダが用いられる。このような構成を備える金属補強部材４０をハウジング１０に取り付けると、ハウジング１０の前端上部１１は、上側補強部材４１と前側補強部材４３とにより保護・補強される。このとき、連結部４５は挿入口４の左右両側に位置している。また、下側補強部材４４は、ハウジング１０の底部側を保護・補強している。
【００３８】
本実施の形態による金属補強部材４０にはグランドコンタクト５０が一体形成されている。換言すると、本実施の形態によるグランドコンタクト５０は、金属補強部材４０の一部として形成されている。但し、本発明はこれに制限される訳ではなく、金属補強部材４０とグランドコンタクト５０とを別体として設けることとしても良い。
【００３９】
図３及び図５に示されるように、グランドコンタクト５０は、コネクタ１の前端２からから挿入部５内に向かって延びている。詳しくは、グランドコンタクト５０は、金属補強部材４０の前側補強部材４３の下縁後方（＋Ｘ方向）及び下方（−Ｚ方向）の双方と斜交する方向に延びる接点支持部５１と、接点支持部５１に弾性支持された第２接点部５２とを有している。第２接点部５２は、挿入口４から入った奥側に位置しており、ＦＰＣ／ＦＦＣ８０のグランド層８４と電気的に接続する部位である。加えて、第２接点部５２は、挿入部５に挿入されたＦＰＣ／ＦＦＣ８０を挿入部５の下部受面１３と挟持する部位でもある。
【００４０】
詳しくは、図３、図５及び図７から理解されるように、グランドコンタクト５０は、収容部３４ｇの幅広の下側収容部３４ｂに部分的に収容されており、挿入部５に挿入されたＦＰＣ／ＦＦＣ８０のグランド層８４に対して第２接点部５２が収容部３４ｇ内にて接触するように、ハウジング１０に対して取り付けられている。具体的には、第２接点部５２は、上顎部２３の下側（−Ｚ方向）に位置している。即ち、第２接点部５２は、リフトアップ部３６の近傍に配置されている。このため、挿入部５に挿入されたＦＰＣ／ＦＦＣ８０を挿入部５の下部受面１３と第２接点部５２とで挟持した際に、ＦＰＣ／ＦＦＣ８０に対して極端な剪断応力が加わることはない。特に、本実施の形態による第２接点部５２は、コンタクト２０の第１接点部２１とＸ方向（前後方向）において略同一の位置に配置されている。従って、グランドコンタクト５０からの反力によりアクチュエータ３０が開いてしまうことがなく、またグランド層８４と第２接点部５２とのスライド量が少ないためグランド層８４の削れが少なくなり、また上述した剪断応力は可能な限り軽減されている。
【００４１】
本実施の形態によるグランドコンタクト５０は、開位置から閉位置に向かうアクチュエータ３０の回動操作によっては第２接点部５２が変位しないようにハウジング１０に取り付けられている。換言すると、本実施の形態によるグランドコンタクト５０は、開位置から閉位置に向かうアクチュエータ３０に押圧されることはない。このように本実施の形態においては、アクチュエータ３０の回動に応じたコンタクト２０の第１接点部２１の変位とグランドコンタクト５０の第２接点部５２の変位とを互いに独立させたことから、アクチュエータ３０の回動に際してグランド層８４が第２接点部５２によって損傷してしまうことはない。
【００４２】
本実施の形態によるコネクタ１においては、Ｚ方向（上下方向）において、ＦＰＣ／ＦＦＣ８０の未挿入時であってアクチュエータ３０が開位置にある場合におけるハウジング１０の下部受面１３とグランドコンタクト５０の第２接点部５２との間の距離は、ＦＰＣ／ＦＦＣ８０の厚みよりも狭い。従って、アクチュエータ３０が開位置にある状態において、ＦＰＣ／ＦＦＣ８０を挿入部５に挿入すると、ＦＰＣ／ＦＦＣ８０をコネクタ１に仮保持することができる。
【符号の説明】
【００４３】
１        コネクタ
２        前端
３        後端
４        挿入口
５        挿入部
１０        ハウジング
１１        前端上部
１２        上内面
１３        下部受面
１４        保持部
１５        後端上部
１６        上部受面
２０        コンタクト
２１        第１接点部
２２        下顎部
２３        上顎部
２４        連結部
２５        被保持部
２６        信号端子
３０        アクチュエータ
３２        軸部
３４，３４ｇ        収容部
３６        リフトアップ部
３８        包囲部
４０        金属補強部材
４１        上側補強部
４２ａ，４２ｂ        被固定部
４３        前端補強部
４４        下側補強部
４５        連結部
４６        側部補強部
４７        圧入部
４８        ホールドダウン部
４９        グランド端子
５０        グランドコンタクト
５１        接点支持部
５２        第２接点部
８０        ＦＰＣ／ＦＦＣ（第１接続対象物）
８２        信号層
８４        グランド層
【図１】
2011198571.tif 000003
【図２】
2011198571.tif 000004
【図３】
2011198571.tif 000005
【図４】
2011198571.tif 000006
【図５】
2011198571.tif 000007
【図６】
2011198571.tif 000008
【図７】
2011198571.tif 000009
【図８】
2011198571.tif 000010
【図９】
2011198571.tif 000011
【図１０】
2011198571.tif 000012
【手続補正書】
【提出日】平成22年12月8日(2010.12.8)
【手続補正１】
【補正対象書類名】特許請求の範囲
【補正対象項目名】請求項１
【補正方法】変更
【補正の内容】
【請求項１】
前端に挿入口を備えた挿入部を有し前記挿入口から後方に向かって挿入された板状又はシート状の第１接続対象物と接続するコネクタであって、
ハウジングと、
該ハウジングに保持されたコンタクトであって、第１接点部を設けられた下顎部と、上顎部と、前記下顎部と前記上顎部とを連結する連結部とを有するコンタクトと、
閉位置と開位置との間で回動可能となるように前記ハウジングに支持されたアクチュエータであって、前記開位置から前記閉位置に向けて前記アクチュエータを回動させる回動操作に応じて前記上顎部を押圧することにより前記第１接続対象物と前記コンタクトとを接続させるリフトアップ部を有するアクチュエータと、
第２接点部を有するグランドコンタクトであって、前記第２接点部が前記上顎部の下側に位置し且つ前記アクチュエータの前記回動操作によっては前記第２接点部が変位しないように前記ハウジングに取り付けられたグランドコンタクトと
を備え、前記アクチュエータの前記回動操作によって、前記挿入部に挿入された前記第１接続対象物と前記第１接点部とを接続し、且つ、前記第１接続対象物を前記挿入部の下部受面と前記第２接点部とで挟持するコネクタ。
【手続補正２】
【補正対象書類名】明細書
【補正対象項目名】００１１
【補正方法】変更
【補正の内容】
【００１１】
本発明によれば、第１のコネクタとして、
前端に挿入口を備えた挿入部を有し前記挿入口から後方に向かって挿入された板状又はシート状の第１接続対象物と接続するコネクタであって、
ハウジングと、
該ハウジングに保持されたコンタクトであって、第１接点部を設けられた下顎部と、上顎部と、前記下顎部と前記上顎部とを連結する連結部とを有するコンタクトと、
閉位置と開位置との間で回動可能となるように前記ハウジングに支持されたアクチュエータであって、前記開位置から前記閉位置に向けて前記アクチュエータを回動させる回動操作に応じて前記上顎部を押圧することにより前記第１接続対象物と前記コンタクトとを接続させるリフトアップ部を有するアクチュエータと、
第２接点部を有するグランドコンタクトであって、前記第２接点部が前記上顎部の下側に位置し且つ前記アクチュエータの前記回動操作によっては前記第２接点部が変位しないように前記ハウジングに取り付けられたグランドコンタクトと
を備え、前記アクチュエータの前記回動操作によって、前記挿入部に挿入された前記第１接続対象物と前記第１接点部とを接続し、且つ、前記第１接続対象物を前記挿入部の下部受面と前記第２接点部とで挟持するコネクタが得られる。